(57)【特許請求の範囲】
【請求項１】
偏平なブロック体であって、その幅方向を鉛直にし、厚さ方向を水平にした態様で、扉の自由側端縁部内面において、基端を水平面内で回動可能に支承されると共に、自由端が扉内面に近接する方向に付勢された連結杆と、この連結杆と同じ高さにおける扉枠の部分に室内側に突出するように固設されたシリンダ錠と、このシリンダ錠の内筒に一体的かつ同軸に結合された支軸と、この支軸の先端に半径方向に突出するように突設され、この係止爪が鉛直になる作動角度位置をシリンダ錠により錠止できるようにした係止爪と、上記連結杆の自由端にこれを厚さ方向に貫通するすると共に、作動角度位置にある係止爪が通過できるように成形された挿通孔と、この挿通孔に連接すると共に連結杆の長手方向に沿って開口し、支軸と摺動可能に係合する案内長孔と、この案内長孔の開口端縁に形成され、挿通孔との間に衝止部を残して、係止爪が係入できるように形成された係止溝と、この係止溝の基端部に形成され、係止爪が通過可能な幅を有する連通部とを有し、ドアガード作動時、室内側から合鍵によりシリンダ錠を解錠し、支軸を回して係止爪を作動角度位置に置いてから合鍵を鍵孔から抜き、扉口を出て室内側から扉を閉めるとき、扉が未だ少し開いている状態で扉内面に倒れている連結杆を起こし、その先端の挿通孔に支軸の先端を挿通させ、以降、扉を閉めるときの連結杆と支軸の相対移動を利用して、係止爪を連結杆の裏面と摺接させつつその基端に向かって移動させ、更に扉を閉める作動により、係止爪と係止溝の連通部とを整合させ、以て、連結杆の付勢力を利用して係止爪を係止溝に係入させるようにしたことを特徴とする錠付ドアガード。
【発明の詳細な説明】
【０００１】
【発明の属する技術分野】
この発明は、ドアの開放度合いを小さく制限して、安全に来訪者の確認や郵便物の受け渡しなどを行えるようにしたドアガードを、外出時、室外側から作動させ、かつ施錠できるようにした新規な錠付ドアガードに関する。
【０００２】
【従来の技術】
ドアガードは、例えば図１に示すように、扉１の自由側端縁部内面に垂直軸の回りを回動可能に設けられた細長い門形の連結杆２と、扉枠３の内面に設けられた膨出頭部４付の受杆５とを有している。
【０００３】
そして、使用時、扉１を閉鎖した状態で、連結杆２を起こしてその基端の幅広の挿通部６に受杆の膨出頭部４を潜らせ、その状態で扉１を開けると、受杆５は連結杆の挿通部６に連設されたこれよりも幅が狭い案内長孔７と摺動可能に係合するに至る。
【０００４】
図１に示すドアガードの使用状態では、膨出頭部４の存在により連結杆２は受杆５との係合を解くことができないので、扉の開角度を一定以下に保つことができ、安全に来訪者の確認及び郵便物などの受け渡しをすることができる。
【０００５】
【発明が解決しようとする課題】
上記した従来のドアガードは、簡単な構造で、解錠状態における扉の開角度を一定以下に確実に保ち、もって来訪者の確認や郵便物の受け渡しなどを行えるが、悪意の第三者の侵入は許さない、という本来の機能を充分に発揮しており、それ自体解決すべき課題があるわけではない。
【０００６】
この発明は、従来のドアガードに、連結杆２を室外側から受杆５に係合させることができ、すなわち、室外側からドアガードを作動させることができ、かつ施錠できるという機能を付加することにより、新規な安全装置を提供することを目的としている。
【０００７】
【課題を解決するための手段】
上記の目的を達成するため、請求項１に記載の発明は、偏平なブロック体であって、その幅方向を鉛直にし、厚さ方向を水平にした態様で、扉の自由側端縁部内面において、基端を水平面内で回動可能に支承されると共に、自由端が扉内面に近接する方向に付勢された連結杆と、この連結杆と同じ高さにおける扉枠の部分に室内側に突出するように固設されたシリンダ錠と、このシリンダ錠の内筒に一体的かつ同軸に結合された支軸と、この支軸の先端に半径方向に突出するように突設され、この係止爪が鉛直になる作動角度位置をシリンダ錠により錠止できるようにした係止爪と、上記連結杆の自由端にこれを厚さ方向に貫通するすると共に、作動角度位置にある係止爪が通過できるように成形された挿通孔と、この挿通孔に連接すると共に連結杆の長手方向に沿って開口し、支軸と摺動可能に係合する案内長孔と、この案内長孔の開口端縁に形成され、挿通孔との間に衝止部を残して、係止爪が係入できるように形成された係止溝と、この係止溝の基端部に形成され、係止爪が通過可能な幅を有する連通部とを有し、ドアガード作動時、室内側から合鍵によりシリンダ錠を解錠し、支軸を回して係止爪を作動角度位置に置いてから合鍵を鍵孔から抜き、扉口を出て室内側から扉を閉めるとき、扉が未だ少し開いている状態で扉内面に倒れている連結杆を起こし、その先端の挿通孔に支軸の先端を挿通させ、以降、扉を閉めるときの連結杆と支軸の相対移動を利用して、係止爪を連結杆の裏面と摺接させつつその基端に向かって移動させ、更に扉を閉める作動により、係止爪と係止溝の連通部とを整合させ、以て、連結杆の付勢力を利用して係止爪を係止溝に係入させるようにしたことを特徴とする。
【０００８】
【実施例】
以下、この発明の実施例を図２乃至図８を参照して説明する。
図２及び図３において符号２は連結杆を示し、図示の実施例における連結杆２は偏平なブロック体で、その基端（図で左端）を扉１の自由側端縁部内面において、水平面内で回動可能に支承されている。
【０００９】
なお、上記連結杆２は、その幅方向を鉛直にして、換言すればその厚さ方向を水平にして、扉１に回動可能に支承されている。
【００１０】
この連結杆２は、その基端に弾装された捩りコイルばねとしての連結杆ばね８の弾力により、自由端が扉１の内面に近接する方向に、換言すれば、図２で時計方向に回動する方向に付勢されている。
【００１１】
一方、この連結杆２と同じ高さにおける扉枠の部分で扉口開口の近傍に、シリンダ錠９が室内側に突出するようにして固設されている。
【００１２】
このシリンダ錠としては、現在使用されているシリンダ錠、例えばピンシリンダ錠、ディスクタンブラー錠、レバータンブラー錠、或いは出願人が近年開発したロータリーディスクタンブラー錠など、あらゆる種類のシリンダ錠を採用することができる。
【００１３】
このシリンダ錠９の内筒には、円柱状の支軸１１が一体かつ同軸に結合されている。そして、この支軸１１の外端面には、図３に示すように、内筒の鍵孔が支軸を貫通して開口している。
【００１４】
また、支軸１１の先端には、その半径方向に突出する少なくとも１個の係止爪１２が一体に突設されている。
【００１５】
この係止爪１２は、図３に実線で示す角度位置、すなわち、水平になる角度位置を待機角度位置とし、鎖線で示す角度位置、すなわち、鉛直になる角度位置を作動角度位置として、この作動角度位置をシリンダ錠１１により錠止できるように、すなわち固定できるようにシリンダ錠の内筒の角度位置が設定されている。
【００１６】
具体的には、例えばレバータンブラー錠では、そのロッキングバーが外筒のカム溝と係合している施錠状態で係止爪が作動角度位置になるように、シリンダ錠の取付角度位置が設定されている。
【００１７】
この発明による錠付ガードアームのシリンダ錠は、係止爪１２が作動角度位置にあるときでも、また待機角度位置にあるときでも内筒から合鍵を抜くことができなくてはならないため、例えばレバータンブラー錠では外筒の第２のカム溝を１条、９０度の角度間隔を保って付加する。
【００１８】
一方、図３に示すように、連結杆２の先端に、これを厚さ方向に貫通するようにして、作動角度位置にある係止爪１２及び支軸１１が通過できる挿通孔１３が開口している。
【００１９】
また、この挿通孔１３に連接して、支軸１１と摺動可能に係合する案内長孔７が連結杆２の長さ方向に沿って開口している。
【００２０】
他方、図３及び図４に示すように、案内長孔７の開口端縁、具体的には係止爪１２に対向する側の開口端縁には、挿通孔１３との間に衝止部１４を残して、係止爪１２が係入できる係止溝１５が形成されている。
【００２１】
この係止溝１５は、図３に示すように、連結杆２の基端部にまで延伸しており、係止爪１２が作動角度位置にあるときでもこれと干渉しないようになっている。
【００２２】
また、この係止溝１５を画成する一対の実体部の内、シリンダ錠９から遠い方には、切欠としての態様で、係止爪１２が通過可能な連通部１６が形成されている。
【００２３】
上記のように構成されたこの発明の一実施例による錠付ドアガードは、ドアガードを作動させないときには、連結杆ばね８の弾力により扉内面側に倒れ込んでいる連結杆２をその侭にして扉を開閉させる。
【００２４】
この場合、係止爪１２が作動角度位置にあっても、或いは待機角度位置にあっても、どちらでもよい。
【００２５】
一方、ドアガードを作動させるときには、合鍵を支軸１１の鍵孔に差込んでシリンダ錠を解錠し、支軸１１を回して係止爪１２を作動角度位置に置いてから合鍵を鍵孔から抜く。
【００２６】
そして、扉口を出て、室外側から扉を閉めるとき、扉が未だ少し開いている状態で、図５に示すように、扉内面に倒れている連結杆を起こし、その先端の挿通孔１３に支軸１１の先端を挿通させる。
【００２７】
この状態で少し扉を閉めると、係止爪１２は連結杆２の裏面（シリンダ錠９から見て）の挿通孔１３が開口していない部分に掛かるから、以降手を離しても連結杆２は係止爪１２に係止され、元の状態に戻らない。
【００２８】
そして、その状態で扉を閉めると、図６に示すように、係止爪１２は連結杆２の裏面と摺接しつつその基端に向かって移動する。
【００２９】
更に扉を閉めると、図７に示すように、係止爪１２と係止溝の連通部１６とが整合するに致り、この場合、連結杆ばね８の弾力により、連結杆２が時計方向に回動し、相対的に係止爪１２が係止溝１５中に係入する。
【００３０】
この状態で完全に閉扉し、扉に装着された別のシリンダ錠を施錠して外出する。この場合、図３に示すように、係止爪１２は係止溝１５中にあって、その基端部に位置している。
【００３１】
留守中に例えば空巣狙いがピッキングにより扉に装着されたシリンダ錠を不正に解錠し、シメタと喜んで扉を開けると、図３及び図８に示すように、扉枠に固定された係止爪１２が、係止溝の衝止部１４との係合及び連結杆２を介して、扉を一定角度以下の開角度で拘束する。
【００３２】
この場合、係止爪１２と連結杆２との係合を解除するには、扉を一旦閉めて係止爪１２と連通部１６とを整合させ、この状態で連結杆２を付勢方向とは逆方向に回動させて係止爪１２を連結杆から外す必要があるが、それは扉がほとんど閉まっているので不可能であり、また、狭い隙間からのシリンダ錠１１のピッキングは不可能であるから、結局空巣狙いは撃退される。
【００３３】
家人が外出から帰って扉を開け、更にこの発明による錠付ドアガードの作動を解くには、連結杆２が制限している扉と扉枠との間の隙間から支軸１１の鍵孔に合鍵を差し入れ、これを９０度回して合鍵を抜く。
【００３４】
この場合、例えば支軸１１を図３で半時計方向に９０度回すものとする。すると、図３から明らかなように、係止爪１２は係止溝１５から抜け出て連結杆２は自由になり、このようにして錠付ドアガードは解除される。
【００３５】
【発明の効果】
以上の説明から明らかなように、この発明は、扉枠側にシリンダ錠を固設し、その内筒に一体に結合された支軸に係止爪を一体に突設し、一方、扉の自由側端縁部内面に、連結杆を水平面内で回動可能に装着すると共に、これをその自由端が扉内面に近接する方向に付勢し、他方、連結杆に、挿通孔を先端に形成した案内長孔をその長さ方向に沿って開口させると共に、挿通孔との間に衝止部を設け、基端部に連通部を形成した係止溝を案内長孔の開口端縁に形成し、閉扉時、連結杆を起こして挿通孔に支軸を貫通させ、シリンダ錠から見て連結杆の裏面側に突出した係止爪を、扉の回動及び連結杆の付勢力を利用して連通部を経て係止溝中に導入するようにしたので、簡単な構造で外側から錠付のドアガードを作動させることができる、という所期の効果を奏する。
【図面の簡単な説明】
【図１】従来のドアガードの一例を示す扉口の外観斜視図。
【図２】この発明の一実施例による錠付ドアガードの平面図で、連結杆を起こした状態で示す。
【図３】この発明の一実施例による錠付ドアガードの裏面図。
【図４】図３のＩＶ−ＩＶ線による連結杆の縦断面図。
【図５】錠付ドアガードの作動を説明するための一部断面下面図で、支軸を挿通孔に差し通した状態を示す。
【図６】図５と同様の一部断面下面図で、扉が閉まり掛けた状態を示す。
【図７】図６と同様の一部断面下面図で、係止爪が係止溝中に導入された状態を示す。
【図８】図７と同様の一部断面下面図で、ドアガードが作動している状態を示す。
【符号の説明】
１  扉
２  連結杆
３  扉枠
５  受杆
６  挿通部
７  案内長孔
８  連結杆ばね
９  シリンダ錠
１１  支軸
１２  係止爪
１３  挿通孔
１４  衝止部
１５  係止溝
１６  連通部
【図１】
0004181787.tif 000002
【図２】
0004181787.tif 000003
【図３】
0004181787.tif 000004
【図４】
0004181787.tif 000005
【図５】
0004181787.tif 000006
【図６】
0004181787.tif 000007
【図７】
0004181787.tif 000008
【図８】
0004181787.tif 000009